(57)【要約】【課題】受信信号の妨害波を除去することができる受信装置を提供することを課題とする。【解決手段】第１の周波数帯域の成分及び第２の周波数帯域の成分を含む第１の信号を無線受信する第１のアンテナ（１０１）と、前記第１の信号を前記第１の信号より低い周波数の第２の信号に周波数変換することにより、前記第１の周波数帯域に対応する第３の周波数帯域の成分及び前記第２の周波数帯域に対応する第４の周波数帯域の成分を含む前記第２の信号を出力するミキサ（３０３）と、前記第２の信号のうちの前記第３の周波数帯域の成分を減衰させ、前記第４の周波数帯域の成分を通過させることにより、第３の信号を出力する第１のフィルタ（３０５）と、前記第２の信号から前記第３の信号を減算することにより、前記第４の周波数帯域の成分が減衰し、前記第３の周波数帯域の成分が残された第４の信号を出力する減算器（３０６）とを有する受信装置が提供される。【選択図】図３
2011055223.tif 000002
【特許請求の範囲】
【請求項１】
第１の周波数帯域の成分及び第２の周波数帯域の成分を含む第１の信号を無線受信する第１のアンテナと、
前記第１の信号を前記第１の信号より低い周波数の第２の信号に周波数変換することにより、前記第１の周波数帯域に対応する第３の周波数帯域の成分及び前記第２の周波数帯域に対応する第４の周波数帯域の成分を含む前記第２の信号を出力するミキサと、
前記第２の信号のうちの前記第３の周波数帯域の成分を減衰させ、前記第４の周波数帯域の成分を通過させることにより、第３の信号を出力する第１のフィルタと、
前記第２の信号から前記第３の信号を減算することにより、前記第４の周波数帯域の成分が減衰し、前記第３の周波数帯域の成分が残された第４の信号を出力する減算器と
を有することを特徴とする受信装置。
【請求項２】
さらに、信号を無線送信する第２のアンテナと、
前記第２の周波数帯域の成分を含む信号を前記第２のアンテナを介して無線送信する送信部とを有し、
前記第１のアンテナは、外部で送信された前記第１の周波数帯域の成分を含む信号及び前記送信部により送信された前記第２の周波数帯域の成分を含む信号を受信することを特徴とする請求項１記載の受信装置。
【請求項３】
さらに、前記ミキサにより出力される前記第２の信号のうちの前記第４の周波数帯域の成分を減衰させ、前記第３の周波数帯域の成分を通過させることにより、信号を出力する第２のフィルタを有し、
前記第１のフィルタは、前記第２のフィルタにより出力された信号のうちの前記第３の周波数帯域の成分を減衰させ、前記第４の周波数帯域の成分を通過させ、
前記減算器は、前記第２のフィルタにより出力された信号から前記第３の信号を減算することを特徴とする請求項１又は２記載の受信装置。
【請求項４】
さらに、前記第１のフィルタにより出力される前記第３の信号の振幅を調整する振幅調整部と、
前記第１のフィルタにより出力される前記第３の信号の位相を調整する位相調整部とを有することを特徴とする請求項１〜３のいずれか１項に記載の受信装置。
【請求項５】
さらに、温度を検出する温度センサを有し、
前記振幅調整部は、前記温度センサにより検出される温度に応じて前記第３の信号の振幅を調整し、
前記位相調整部は、前記温度センサにより検出される温度に応じて前記第３の信号の位相を調整することを特徴とする請求項４記載の受信装置。
【発明の詳細な説明】
【技術分野】
【０００１】
本発明は、受信装置に関する。
【背景技術】
【０００２】
携帯電話には、ワンセグチューナが搭載されているものがある。携帯電話は、携帯電話の送信信号を無線送信する。携帯電話内のワンセグチューナのアンテナは、ワンセグの受信信号の他に、上記の携帯電話の送信信号を妨害波として受信する。妨害波は、ワンセグチューナの受信品質の劣化を生じさせる。
【０００３】
受信信号を高周波帯から低周波帯へ周波数変換し、Ｉ相の信号に変換する第１の周波数変換部と、受信信号を高周波帯から低周波帯へ周波数変換し、Ｑ相の信号に変換する第２の周波数変換部と、Ｉ相及びＱ相の信号のうち何れか１つの信号から、受信信号に含まれる不要信号成分を抽出する不要信号選択フィルタと、不要信号選択フィルタにより抽出された不要信号成分の位相を逆相に反転する位相調整部と、位相調整部により反転された信号を低周波帯から高周波帯へ周波数変換し、キャンセル信号を生成するキャンセル信号生成部と、キャンセル信号生成部により生成されたキャンセル信号を受信信号に加算する結合部とを備える無線通信装置が知られている（例えば、特開２００７−１３８３９号公報参照）。
【０００４】
また、無線送信部と無線受信部とを備えた無線装置において、無線送信部がアンテナに送出する高周波信号から、高周波信号の位相と振幅とのうち少なくとも一方の量を変化させた波形の信号を生成して、無線受信部に入力される受信信号に加算する、信号生成加算部を備えている無線装置が知られている（例えば、特開２００６−２７９３０９号公報参照）。
【０００５】
また、中間周波信号に混入した干渉波成分を除去するＦＭ受信装置が知られている（例えば、特開平５−１０２８６８号公報参照）。
【０００６】
また、狭帯域システムとの同一周波数の共用による妨害波を阻止することができるスペクトラム通信装置が知られている（例えば、特開平５−３２７６５８号公報参照）。
【先行技術文献】
【特許文献】
【０００７】
【特許文献１】特開２００７−１３８３９号公報
【特許文献２】特開２００６−２７９３０９号公報
【特許文献３】特開平５−１０２８６８号公報
【特許文献４】特開平５−３２７６５８号公報
【発明の概要】
【発明が解決しようとする課題】
【０００８】
本発明の目的は、受信信号の妨害波を除去することができる受信装置を提供することである。
【課題を解決するための手段】
【０００９】
受信装置は、第１の周波数帯域の成分及び第２の周波数帯域の成分を含む第１の信号を無線受信する第１のアンテナと、前記第１の信号を前記第１の信号より低い周波数の第２の信号に周波数変換することにより、前記第１の周波数帯域に対応する第３の周波数帯域の成分及び前記第２の周波数帯域に対応する第４の周波数帯域の成分を含む前記第２の信号を出力するミキサと、前記第２の信号のうちの前記第３の周波数帯域の成分を減衰させ、前記第４の周波数帯域の成分を通過させることにより、第３の信号を出力する第１のフィルタと、前記第２の信号から前記第３の信号を減算することにより、前記第４の周波数帯域の成分が減衰し、前記第３の周波数帯域の成分が残された第４の信号を出力する減算器とを有することを特徴とする。
【発明の効果】
【００１０】
妨害波である第２の周波数帯域の成分を除去することができるので、受信品質を向上させることができる。また、低周波数に変換するミキサの後段に第１のフィルタを設けることにより、第３の周波数帯域の成分と第４の周波数帯域の成分とは大きく離れるので、簡易な第１のフィルタにより容易にフィルタリングすることができる。
【図面の簡単な説明】
【００１１】
【図１】図１（Ａ）は本発明の第１の実施形態による通信装置の構成例を示す図であり、図１（Ｂ）は地上デジタル信号のＵＦＨ帯域及び携帯電話の送信信号帯域を示す図である。
【図２】図２（Ａ）はワンセグチューナの前段のノッチフィルタを示す図であり、図２（Ｂ）はノッチフィルタの通過特性を示す図である。
【図３】図３（Ａ）は第１の実施形態による図１（Ａ）のワンセグチューナの構成例を示す図であり、図３（Ｂ）は図３（Ａ）のワンセグチューナの処理例を示す図である。
【図４】減算器による妨害波除去特性を示す図である。
【図５】本発明の第２の実施形態による図１（Ａ）のワンセグチューナの構成例を示す図である。
【図６】本発明の第３の実施形態による図１（Ａ）のワンセグチューナの構成例を示す図である。
【図７】振幅調整部及び位相調整部の構成例を示す回路図である。
【発明を実施するための形態】
【００１２】
（第１の実施形態）
図１（Ａ）は本発明の第１の実施形態による通信装置１００の構成例を示す図であり、図１（Ｂ）は地上デジタル信号のＵＦＨ帯域１２１及び携帯電話の送信信号帯域１２２を示す図である。通信装置１００は、例えば携帯電話である。通信装置１００は、ワンセグ受信アンテナ（第１のアンテナ）１０１、ワンセグチューナ１０２、携帯電話送信アンテナ（第２のアンテナ）１０３及び携帯電話送信部１０４を有する。受信装置は、ワンセグ受信アンテナ１０１及びワンセグチューナ１０２を有する。送信装置は、携帯電話送信アンテナ１０３及び携帯電話送信部１０４を有する。
【００１３】
携帯電話送信部１０４は、携帯電話送信アンテナ１０３を介して、携帯電話の送信信号１１４を携帯電話基地局１１２へ無線送信する。携帯電話の送信信号１１４は、図１（Ｂ）に示すように、携帯電話帯域１２２の信号である。帯域１２２内の携帯電話の送信信号１３２は、携帯電話の最低チャンネルの８３２ＭＨｚの信号である。
【００１４】
地上デジタル送信局１１１は、地上デジタル信号（テレビ信号）１１３を送信する。ワンセグチューナ１０２は、ワンセグ受信アンテナ１０１を介して、外部の地上デジタル送信局１１１で送信された信号１１３、及び携帯電話送信部１０４により送信された信号（妨害波）１１４を受信する。地上デジタル信号１１３は、図１（Ｂ）に示すように、地上デジタルＵＨＦ帯域１２１の信号である。帯域１２１内の地上デジタル信号１３１は、地上デジタルの最高チャンネルの７６７ＭＨｚの信号である。ワンセグチューナ１０２にとって、地上デジタル信号１１３は必要な信号であり、携帯電話の送信信号１１４は不要な信号である。ワンセグチューナ１０２は、携帯電話の送信信号１１４を除去し、地上デジタル信号１１３のみを復調して再生する。
【００１５】
ここで、地上デジタル帯域１２１及び携帯電話帯域１２２は近接しているため、ワンセグチューナ１０２が携帯電話の送信信号１１４を除去し、地上デジタル信号１１３のみを復調することが困難である。
【００１６】
図２（Ａ）はワンセグチューナ１０２の前段のノッチフィルタ２０１を示す図であり、図２（Ｂ）はノッチフィルタ２０１の通過特性２０２を示す図である。ノッチフィルタ２０１は、ワンセグ受信アンテナ１０１及びワンセグチューナ１０２の間に設けられる。ノッチフィルタ２０１は、図２（Ｂ）の通過特性２０２に示すように、地上デジタル帯域１２１の信号を通過させ、携帯電話帯域１２２の信号を減衰させる。しかし、地上デジタル帯域１２１及び携帯電話帯域１２２は近接しているため、高次のノッチフィルタ２０１が必要になり、ノッチフィルタ２０１は大型化し、コストが増大する。また、地上デジタル帯域１２１及び携帯電話帯域１２２は近接しているため、ノッチフィルタ２０１が地上デジタル帯域１２１の信号の一部を減衰させてしまうリスクがある。また、ノッチフィルタ２０１による地上デジタル帯域１２１の信号のロスによる受信感度の劣化（約３ｄＢ）、ノッチフィルタ２０１の実装面積の増加（２ｍｍ角）、コストアップ（数十円前後）等のデメリットを伴う。以下、これらのデメリットを解消するための実施形態を説明する。
【００１７】
図３（Ａ）は本実施形態による図１（Ａ）のワンセグチューナ１０２の構成例を示す図であり、図３（Ｂ）は図３（Ａ）のワンセグチューナ１０２の処理例を示す図である。本実施形態は、シングルコンバージョン方式の通信装置を説明する。ＲＦ（高周波数）増幅器３０１は、ワンセグ受信アンテナ１０１を介して、図１（Ｂ）の地上デジタル帯域（第１の周波数帯域）１３１の成分及び携帯電話帯域（第２の周波数帯域）１３２の成分を含む信号を無線受信し、増幅する。ミキサ３０３は、シンセサイザ３０２が出力するローカル信号及びＲＦ増幅器３０１が出力する信号をミキシングすることにより、周波数変換する。すなわち、ミキサ３０３は、ＲＦ増幅器３０１の出力信号を、ＲＦ増幅器３０１の出力信号より低い周波数（中間周波数）の信号に周波数変換し、出力する。例えば、中間周波数は１ＭＨｚである（図３（Ｂ）参照）。ＲＦ増幅器３０１の出力信号は、図１（Ｂ）に示すように、地上デジタル帯域１３１の成分及び携帯電話帯域１３２の成分を含む信号である。これに対し、ミキサ３０３の出力信号は、図３（Ｂ）に示すように、地上デジタル帯域（第３の周波数帯域）３２１の成分及び携帯電話帯域（第４の周波数帯域）３２２の成分を含む信号である。図３（Ｂ）の１ＭＨｚの地上デジタル帯域３２１の成分は、図１（Ｂ）の７６７ＭＨｚの地上デジタル帯域１３１の成分に対応する。図３（Ｂ）の６０ＭＨｚの携帯電話帯域３２２の成分は、図１（Ｂ）の８３２ＭＨｚの携帯電話帯域１３２の成分に対応する。
【００１８】
ローパスフィルタ（第２のフィルタ）３０４は、ミキサ３０３の出力信号を入力し、低周波数帯域成分を通過させ、高周波数帯域成分を減衰させる。具体的には、ローパスフィルタ３０４は、ミキサ３０３により出力される信号のうちの携帯電話帯域３２２の成分を減衰させ、地上デジタル帯域３２１の成分を通過させることにより、信号Ｓ１を出力する。ミキサ３０３の中間周波数が１ＭＨｚの場合、地上デジタル帯域３２１及び携帯電話帯域３２２は約６０ＭＨｚ離れているため、１次のローパスフィルタ３０４でも３０ｄＢ程度の減衰が可能になるので、小型及び安価でＩＣ内蔵可能なローパスフィルタ３０４を用いることができる。
【００１９】
ハイパスフィルタ（第１のフィルタ）３０５は、ローパスフィルタ３０４の出力信号Ｓ１を入力し、高周波数帯域成分を通過させ、低周波数帯域成分を減衰させる。具体的には、ハイパスフィルタ３０５は、信号Ｓ１のうちの地上デジタル帯域３２１の成分を減衰させ、携帯電話帯域３２２の成分を通過させることにより、信号Ｓ２を出力する。ミキサ３０３の後段の中間周波数帯では、地上デジタル帯域３２１及び携帯電話帯域３２２は大きく離れるため、上記のローパスフィルタ３０４と同様に、簡易なハイパスフィルタ３０５を用いることができる。
【００２０】
減算器３０６は、信号Ｓ１から信号Ｓ２を減算することにより、携帯電話帯域３２２の成分が減衰し、地上デジタル帯域３２１の成分が残された信号Ｓ３を出力する。減算器３０６は、信号Ｓ２の反転信号と信号Ｓ１を加算することにより、減算処理を行ってもよい。これにより、信号Ｓ３は、携帯電話帯域３２２の成分が除去（キャンセル）され、地上デジタル帯域３２１の成分が残された信号になる。
【００２１】
ＩＦ（中間周波数）増幅器３０７は、信号Ｓ３を増幅し、復調回路３０８に出力する。復調回路３０８は、地上デジタル帯域３２１の成分を含む信号をＩＦ増幅器３０７から入力し、復調する。
【００２２】
なお、ローパスフィルタ３０４は、削除することができる。その場合、ミキサ３０３の出力端子は、減算器３０６の入力端子及びハイパスフィルタ３０５の入力端子に接続される。信号Ｓ３内の携帯電話帯域３２２の成分の減衰が不十分な場合には、ローパスフィルタ３０４を挿入することが好ましい。
【００２３】
図４は、減算器３０６による妨害波除去特性を示す図である。横軸は信号Ｓ１及びＳ２の位相誤差を示し、縦軸は減算器３０６の携帯電話帯域３２２の妨害波の出力を示す。特性４０１は信号Ｓ１及びＳ２の振幅差が０ｄＢ、特性４０２は信号Ｓ１及びＳ２の振幅差が−０．１ｄＢ、特性４０３は信号Ｓ１及びＳ２の振幅差が−０．３ｄＢ、特性４０４は信号Ｓ１及びＳ２の振幅差が−０．５ｄＢ、特性４０５は信号Ｓ１及びＳ２の振幅差が−０．７ｄＢである。ミキサ３０３の後段の中間周波数帯で、減算器３０６による減算を行うことにより、携帯電話帯域３２２の成分を高精度で除去することができ、−３０〜−４０ｄＢの減衰を実現することができる。
【００２４】
本実施形態では、妨害波である携帯電話帯域３２２の成分を除去することができるので、受信品質を向上させることができる。また、低周波数に変換するミキサ３０３の後段にローパスフィルタ３０４及びハイパスフィルタ３０５を設けることにより、地上デジタル帯域３２１の成分と携帯電話帯域３２２の成分とは大きく離れるので、簡易なローパスフィルタ３０４及びハイパスフィルタ３０５により容易にフィルタリングすることができる。
【００２５】
（第２の実施形態）
図５は、本発明の第２の実施形態による図１（Ａ）のワンセグチューナ１０２の構成例を示す図である。第１の実施形態はシングルコンバージョン方式の通信装置であるのに対し、本実施形態はダイレクトコンバージョン方式の通信装置である。以下、本実施形態が第１の実施形態と異なる点を説明する。図５の上半分の回路はＩ信号を生成するための回路であり、図５の下半分の回路はＱ信号を生成するための回路である。
【００２６】
図５の上半分の回路は、図３（Ａ）の回路を含む。ミキサ３０３は、ＲＦ増幅器３０１のＲＦ出力信号及びシンセサイザ３０２の出力搬送波信号をミキシングすることにより、ベースバンドのＩ信号を出力する。増幅器３０７は、ベースバンドのＩ信号を増幅して出力する。ローパスフィルタ５０１は、増幅器３０７の出力信号を入力し、低周波数帯域成分を通過させ、高周波数帯域成分を減衰させる。ベースバンド処理部５０２は、ローパスフィルタ５０１が出力するＩ信号に対してベースバンド処理を行う。
【００２７】
次に、図５の下半分のＱ信号を生成するための回路を説明する。Ｑ信号を生成するための回路は、上記のＩ信号を生成するための回路と同様である。９０度位相シフタ５１０は、シンセサイザ３０２が出力する搬送波信号の位相を９０度ずらしてミキサ５０３に出力する。ミキサ５０３は、ミキサ３０３と同様に、９０度位相シフタ５１０が出力する搬送波信号及びＲＦ増幅器３０１が出力する信号をミキシングすることにより、周波数変換し、ベースバンドのＱ信号を出力する。すなわち、ミキサ５０３は、ＲＦ増幅器３０１の出力信号を、ＲＦ増幅器３０１の出力信号より低い周波数（中間周波数）の信号に周波数変換し、ベースバンドのＱ信号を出力する。ローパスフィルタ５０４は、ローパスフィルタ３０４と同様に、ミキサ５０３の出力信号を入力し、低周波数帯域成分を通過させ、高周波数帯域成分を減衰させる。具体的には、ローパスフィルタ５０４は、ミキサ５０３により出力される信号のうちの携帯電話帯域３２２の成分を減衰させ、地上デジタル帯域３２１の成分を通過させることにより、信号Ｓ１１を出力する。ハイパスフィルタ５０５は、ハイパスフィルタ３０５と同様に、ローパスフィルタ５０４の出力信号Ｓ１１を入力し、高周波数帯域成分を通過させ、低周波数帯域成分を減衰させる。具体的には、ハイパスフィルタ５０５は、信号Ｓ１１のうちの地上デジタル帯域３２１の成分を減衰させ、携帯電話帯域３２２の成分を通過させることにより、信号Ｓ１２を出力する。減算器５０６は、減算器３０６と同様に、信号Ｓ１１から信号Ｓ１２を減算することにより、携帯電話帯域３２２の成分が減衰し、地上デジタル帯域３２１の成分が残された信号Ｓ１３を出力する。これにより、信号Ｓ１３は、携帯電話帯域３２２の成分が除去（キャンセル）され、地上デジタル帯域３２１の成分が残された信号になる。増幅器５０７は、信号Ｓ１３を増幅して出力する。ローパスフィルタ５０８は、増幅器５０７の出力信号を入力し、低周波数帯域成分を通過させ、高周波数帯域成分を減衰させる。ベースバンド処理部５０９は、ローパスフィルタ５０８が出力するＱ信号に対してベースバンド処理を行う。なお、ローパスフィルタ３０４及び５０４は、削除してもよい。
【００２８】
（第３の実施形態）
図６は、本発明の第３の実施形態による図１（Ａ）のワンセグチューナ１０２の構成例を示す図である。本実施形態（図６）は、第１の実施形態（図３（Ａ））に対して、制御部６０１、メモリ６０２、温度センサ６０３、振幅調整部６０４及び位相調整部６０５を追加したものである。以下、本実施形態が第１の実施形態と異なる点を説明する。
【００２９】
振幅調整部６０４及び位相調整部６０５は、ハイパスフィルタ３０５及び減算器３０６の間に設けられる。振幅調整部６０４は、制御部６０１の制御に応じて、ハイパスフィルタ３０５により出力される信号Ｓ２の振幅を調整し、信号Ｓ４を出力する。位相調整部６０５は、制御部６０１の制御に応じて、振幅調整部６０４の出力信号Ｓ４の位相を調整し、信号Ｓ５を出力する。減算器３０６は、信号Ｓ１から信号Ｓ５を減算することにより、携帯電話帯域３２２の成分が減衰し、地上デジタル帯域３２１の成分が残された信号Ｓ３を出力する。振幅調整部６０４により信号Ｓ１及びＳ５の振幅差を０に調整し、位相調整部６０５により信号Ｓ１及びＳ５の位相差を０度にすることにより、図４に示すように、減算器３０６は、携帯電話帯域３２２の成分の除去精度を向上させることができる。制御部６０１は、パーソナルコンピュータであってもよい。制御部６０１は、復調回路３０８のビットエラーレート等を基に振幅調整部６０４及び位相調整部６０５を制御することができる。
【００３０】
また、信号Ｓ１及びＳ５の振幅差及び位相差は、温度により変化する。本実施形態では、温度に応じて、信号Ｓ１及びＳ５の振幅差及び位相差を調整することができる。温度センサ６０３は、温度を検出する。メモリ６０２は、温度に対する振幅調整量及び位相調整量を記憶する。制御部６０１は、温度センサ６０３により検出される温度に応じて、メモリ６０２から振幅調整量及び位相調整量を読み出し、振幅調整部６０４及び位相調整部６０５を制御する。振幅調整部６０４は、制御部６０１の制御の下、温度センサ６０３により検出される温度に応じて信号Ｓ２の振幅を調整する。位相調整部６０５は、制御部６０１の制御の下、温度センサ６０３により検出される温度に応じて信号Ｓ４の位相を調整する。これにより、温度に応じた振幅調整及び位相調整を行うことができるので、温度が変化した場合にも、減算器３０６は、携帯電話帯域３２２の成分の除去精度を向上させることができる。
【００３１】
図７は、振幅調整部６０４及び位相調整部６０５の構成例を示す回路図である。制御部６０１は、デジタル／アナログ変換器７０１を有し、振幅調整量及び位相調整量をアナログからデジタルに変換し、振幅調整部６０４及び位相調整部６０５に出力する。
【００３２】
振幅調整部６０４は、入力端子７１１、可変抵抗７１２〜７１４、増幅器７１５及び出力端子７１６を有する。入力端子７１１には信号Ｓ２が入力され、出力端子７１６からは信号Ｓ４が出力される。可変抵抗７１２〜７１４は、制御部６０１により抵抗値が制御されるアッテネータであり、抵抗値に応じて信号Ｓ２の振幅を減衰させる。すなわち、制御部６０１は、可変抵抗７１２〜７１４の抵抗値を制御することにより、信号の振幅を調整することができる。例えば、制御部６０１は、−１ｄＢ、−２ｄＢ、−５ｄＢ等のように振幅調整量を選択することができる。増幅器７１５は、可変抵抗７１２〜７１４により減衰された信号を増幅し、出力端子７１６に信号Ｓ４を出力する。
【００３３】
位相調整部６０５は、入力端子７２１、抵抗７２２、可変容量７２３及び出力端子７２４を有する。入力端子７２１には信号Ｓ４が入力され、出力端子７２４からは信号Ｓ５が出力される。可変容量７２３は、制御部６０１により容量値が制御される。出力信号Ｓ５の位相は、抵抗７２２の抵抗値及び可変容量７２３の容量値により決まる。すなわち、制御部６０１は、可変容量７２３の容量値を制御することにより、信号の位相を調整することができる。なお、位相調整部６０５は、上記の構成に限定されず、オールパスフィルタにより信号の位相を調整してもよい。
【００３４】
以上のように、第１〜第３の実施形態によれば、図１（Ａ）の受信信号１１３の近傍の周波数に妨害信号１１４がある場合において、受信装置の中間周波数帯の信号ラインを２分岐させ、受信した信号Ｓ１から妨害波の信号Ｓ２を減算することにより、妨害波だけをキャンセルする。この処理は、中間周波数帯の領域で行われる。
【００３５】
図２（Ａ）及び（Ｂ）のノッチフィルタ２０１の妨害除去比は３０ｄＢ程度であるが、第１〜第３の実施形態によれば、同等以上の妨害除去比を確保できる。また、第１〜第３の実施形態では、ノッチフィルタ２０１の挿入によるデメリット（コストアップ、実装面積アップ、受信感度の劣化）が消滅し、コストの低減、実装面積の小型化及び受信感度の劣化防止を実現することができる。
【００３６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３７】
１０１  ワンセグ受信アンテナ
３０１  ＲＦ増幅器
３０２  シンセサイザ
３０３  ミキサ
３０４  ローパスフィルタ
３０５  ハイパスフィルタ
３０６  減算器
３０７  ＩＦ増幅器
３０８  復調回路
【図１】
2011055223.tif 000003
【図２】
2011055223.tif 000004
【図３】
2011055223.tif 000005
【図４】
2011055223.tif 000006
【図５】
2011055223.tif 000007
【図６】
2011055223.tif 000008
【図７】
2011055223.tif 000009